(57)【要約】      （修正有）【課題】簡単に据付け、搬入・搬出可能な放射性物質含有媒体を遮蔽するための構造体を提供する。【解決手段】放射性物質含有媒体を遮蔽するための構造体は、その内部に流体を含む。構造体には、流体を導入するための配管、開口部１２、または導入部が設けられ、流体を排出するための排出部が設けられている。構造体には流体を収納するための内壁と外壁に囲まれた空洞１３が形成されている。【選択図】図１
0003218450.tif 000002
【実用新案登録請求の範囲】
【請求項１】
放射性物質含有媒体を遮蔽するための構造体であって、
内部に流体を含む構造体。
【請求項２】
前記構造体に、前記流体を導入するための配管が接続されている請求項１に記載の構造体。
【請求項３】
前記構造体に、前記流体を導入するための開口部が形成されている請求項１に記載の構造体。
【請求項４】
前記構造体に、前記流体を導入するための導入部が設けられている請求項１に記載の構造体。
【請求項５】
前記導入部が前記流体を排出するための排出部としても機能する請求項４に記載の構造体。
【請求項６】
前記構造体に、前記流体を排出するための排出部が設けられている請求項１〜３のいずれか１項に記載の構造体。
【請求項７】
前記構造体が、前記流体を収納する空洞が内部に形成されている直方体である請求項１〜６のいずれか１項に記載の構造体。
【請求項８】
前記構造体が、前記流体を収納する内壁と外壁に囲まれた空洞が形成されている請求項１〜６のいずれか１項に記載の構造体。
【請求項９】
前記流体が水である請求項１〜８のいずれか１項である構造体。
【請求項１０】
前記流体が水より比重が重い液体である請求項１〜８のいずれか１項である構造体。
【請求項１１】
前記流体がシリコンオイルである請求項１０に記載の構造体。
【請求項１２】
前記構造体の材料が、ポリ塩化ビニルである請求項１〜１１のいずれか１項に記載の構造体。
【請求項１３】
前記構造体の材料が、繊維強化プラスチックである請求項１〜１１のいずれか１項に記載の構造体。
【請求項１４】
前記構造体の材料が、薄鋼板である請求項１〜１１のいずれか１項に記載の構造体。
【請求項１５】
前記構造体が、２つの空洞が形成された二重遮蔽構造である、請求項１〜１４のいずれか１項に記載の構造体。
【請求項１６】
前記２つの空洞のうち、外側の空洞に前記液体が配置される、請求項１５に記載の構造体。
【考案の詳細な説明】
【技術分野】
【０００１】
本考案は、放射性物質含有媒体を遮蔽するための構造体、例えば焼却灰、洗浄液等の処理媒体に含まれる高濃度の放射性セシウムの影響を防ぐための構造体に関する。
【背景技術】
【０００２】
放射性セシウムに汚染された廃棄物を焼却すると、放射性セシウムが焼却主灰や焼却飛灰に濃縮される。これら焼却灰は、放射性セシウムの濃度が８０００Ｂｑ/ｋｇ以下であれば、通常の管理型埋立処分場にて埋立処分することができる。しかし、焼却灰、特に焼却飛灰中の放射性セシウム濃度は、８０００Ｂｑ/ｋｇを超えることが多く、また、埋立処分場近隣の住民感情から８０００Ｂｑ/ｋｇを下回る焼却灰でも埋立処分することができない状況も大いに想定される。
【０００３】
一般的に、放射線の遮蔽には鉄板や鉛板、コンクリート壁を使用するが、これら鋼材は重量が重いため、据付けや撤去時に搬入・搬出し難い問題があった。また、除去設備全体を遮蔽する場合には遮蔽に要するコストも問題であった。
【０００４】
また、放射性物質含有材の保管方法及び保管施設として特許文献１がある。放射性遮断として、土砂が利用されている。
【先行技術文献】
【特許文献】
【０００５】
【特許文献１】特開２０１３−１４５１１９
【考案の開示】
【考案が解決しようとする課題】
【０００６】
上記従来の問題に鑑みて、簡単に据付け、搬入・搬出可能な放射性物質含有媒体を遮蔽するための構造体を提供する。
【課題を解決するための手段】
【０００７】
本考案の放射性物質含有媒体を遮蔽するための構造体は、内部に流体を含む構造体である。構造体には、流体を導入するための配管、開口部、または導入部が設けられている。
【０００８】
配管は、構造体の上部に設けられていてもよく、中部あるいは下部に設けられていてもよい。配管は構造体の上部に設けられている方が好ましい。配管は１つでもよく複数でもよい。
【０００９】
開口部は、構造体の頂部または上部に形成されていてもよい。開口部は、１つでもよく複数でもよい。開口部の形状は特に制限されないが、液体を投入しやすい形状、例えば円状が好ましい。開口部のサイズ(大きさ)は、液体を投入しやすいサイズが好ましい。
【００１０】
導入部は、構造体の上部に設けられていてもよく、中部あるいは下部に設けられていてもよい。導入部は１つでもよく複数でもよい。導入部は、例えば、外部のホースと連絡されるワンタッチ式のカプラ、開閉弁などを有していることが好ましい。
【００１１】
この構成によって、軽量の構造体を設置した後に、放射線遮蔽効果を有する液体を、例えば配管、開口部または導入部から構造体の内部へ投入でき、構造体の搬入、設置を従来の遮蔽構造よりも簡単に行える。
【００１２】
上記考案の一実施形態において、構造体に流体を排出するための排出部が設けられている。これにより、撤去する前に流体を排出し、軽くしてから搬出することができる。排出部は、開閉弁、ワンタッチ式のカプラなどを有していることが好ましい。
【００１３】
上記考案の一実施形態において、導入部が流体を排出するための排出部としても機能してもよい。
【００１４】
上記考案の一実施形態において、構造体が、流体を収納する空洞が内部に形成されている直方体である。直方体のサイズは、特に制限されない。形状が直方体の場合、構造体を複数個配置させて、放射性物質含有媒体を囲むことできる。放射性物質含有媒体のサイズ、配置などに応じて、構造体を適宜配置させることができるため、自由度が高い。構造体は二重に配置されてもよい。
【００１５】
上記考案の一実施形態において、構造体が、流体を収納する内壁と外壁に囲まれた空洞が形成されている。構造体の外観形状は特に制限されず、例えば、放射性物質含有媒体を取り囲めればよく、平面視でリング状、多角形状、異形状でもよい。
【００１６】
上記考案の一実施形態において、流体が水、または水より比重が重い液体(ゲル状のものも含む)である。流体が、例えばシリコンオイルである。
【００１７】
上記考案の一実施形態において、構造体の材料が、ポリ塩化ビニル、繊維強化プラスチック、または薄鋼板である。これら材料であれば、軽い構造体を構成できる。ポリ塩化ビニル、繊維強化プラスチックを用いた場合、酸による腐食を抑制できるのでより好ましい。
【００１８】
上記考案の一実施形態において、２つの空洞が形成された二重遮蔽構造である。二つの空洞の両方に液体が収納されてもよく、２つの空洞のうち、外側の空洞にのみ液体が収納されていてもよい。この二重遮蔽構造であれば、一重遮蔽構造よりも放射線遮蔽効果が高くなるので、放射性濃度が高い媒体、処理設備(焼却設備、処理設備など)、高濃度放射性物質含有媒体の保管設備に対しても効果的である。
【図面の簡単な説明】
【００１９】
【図１】実施形態１に係る構造体を説明するための図である。
【図２】実施形態１に係る構造体を設置した一例を説明するための図である。
【図３】実施形態２に係る二重遮蔽構造体を説明するための図である。
【図４】実施形態３に係る構造体を説明するための図である。
【図５】構造体を設置した別例を説明するための図である。
【考案を実施するための形態】
【００２０】
（実施形態１）
本考案に係る実施形態１の構造体１は、外観が直方体であり、流体を導入するため、天頂部に開口部１２が形成され、開口部１２と連続して空洞１３が形成されている。空洞１３は、４つの側壁および底壁１１で取り囲まれた構成である。任意の側壁１１の下部に液体を排出するための排出部１４が設けられている。排出部１４は、空洞１３へ通じており、不図示のバルブを備える。
【００２１】
図２は、構造体１の設置の一例である。まず、空洞１３に液体が収納されていない状態で、図２に示すように、中央（放射性物質含有媒体）を囲むように設置する。ここで、構造体１の端部同士が重なっている。この理由は、排出部１４が側壁１１から突出していること、隣合う構造体の空洞（液体）に隙間が生じないように配置させる必要があるからである。構造体１で取り囲んだ時の平面視形状は、図２に限定されず、他の形状、多角形、渦巻き状の異形でもよい。放射性物質含有媒体の平面視で径方向に構造体１（液体）が隙間なく配置されていることが重要であり、近くの構造体の同士が必ずしも接触していなくてもよい。
【００２２】
設置した構造体１の開口部１２から液体を投入する。液体を投入する手段は、特に制限されない。液体が水の場合、水道水を投入してもよい。例えば、蛇口にホースの一方口を連結し、ホースの他方口を開口部１２に向けて、あるいは空洞１３にホースを挿入して、水を投入してもよい。液体が入ったタンクとポンプとをつないで、ポンプを用いて液体を投入してもよい。
【００２３】
液体としては、放射線、特に放射線セシウムを遮蔽する機能を有し、水よりも比重の重い液体でもよく、例えば、シリコンオイルでもよい。
【００２４】
構造体を撤去する場合、排出部１４のバルブを開放し、液体を排出する。この場合、排出部１４にホースなどの管を接続し、所定の排出エリアへ液体を排出させることが好ましい。
【００２５】
構造体１は、ポリ塩化ビニル、繊維強化プラスチック、または薄鋼板の材料で構成される。薄鋼板は、例えば、３ｍｍ未満の厚みであり、０．３ｍｍ以上３．０ｍｍ未満が好ましく、０．４ｍｍ以上３．０ｍｍ未満がより好ましく、０．５ｍｍ以上３．０ｍｍ未満がさらに好ましい。
【００２６】
（実施形態２）
図３に示す実施形態２の構造体３は、２つの空洞が形成された二重遮蔽構造の長方体である。構造体３は、主面の位置の外壁３１ａ、中壁３１ｂ、内壁３１ｃと、側壁および底壁３１を有し、外壁３１ａと中壁３１ｂとの間に挟まれた外側空洞３３ａと中壁３１ｂと内壁３１ｃとの間に挟まれた内側空洞３３ｂを有する。外側空洞３３ａの天頂部には外側開口部３２ａが形成されている。内側空洞３３ｂの天頂部には内側開口部３２ｂが形成されている。不図示の排出部が側壁３１または外壁３１ａに形成されている。
【００２７】
二つの空洞の両方に液体が収納されてもよく、外側空洞３３ａ、内側空洞３３ｂのうち、放射性物質含有媒体を囲んだ場合に、その外側になる外側空洞３３ａにのみ液体が収納されていてもよい。この二重遮蔽構造であれば、一重遮蔽構造よりも放射性濃度が高い媒体に対しても遮蔽効果が高い。各空洞のそれぞれに、不図示の排出部が設けられており、この排出部から液体を排出できる。
【００２８】
（実施形態３）
図４に示す実施形態３の構造体４は、中空の筒形状である。外壁４１ａ、内壁４１ｂ、底壁４１の間に、液体が収納される空洞４３が形成されている。その天頂部に開口部４２が形成されている。この開口部４２から液体が投入される。排出時は、不図示の排出部から液体を排出できる。
【００２９】
（実施形態４）
図５は、構造体１の別の配置例を示す。入口Ｅを設け、保管エリアＳを囲むように構造体１を配置する。放射性物質含有媒体を収納したドラム缶５を入口Ｅから搬入し、保管エリアＳに載置する。
【００３０】
（別実施形態）
上記実施形態１、２の構造体は、直方体に限定されず、平面視で湾曲していてもよい。また、上記実施形態３の円筒状の構造体は、平面視で円状でなくともよく、多角形でもよい。
【００３１】
上記実施形態１〜３の構造体と他の放射線遮蔽部材とを組み合わせて構成してもよい。
【符号の説明】
【００３２】
１      構造体
１１    側壁、底壁
１２    開口部
１３    空洞
１４    排出部
【図１】
0003218450.tif 000003
【図２】
0003218450.tif 000004
【図３】
0003218450.tif 000005
【図４】
0003218450.tif 000006
【図５】
0003218450.tif 000007
【手続補正書】
【提出日】平成30年8月8日(2018.8.8)
【手続補正１】
【補正対象書類名】実用新案登録請求の範囲
【補正対象項目名】全文
【補正方法】変更
【補正の内容】
【実用新案登録請求の範囲】
【請求項１】
放射性物質含有媒体を遮蔽するための構造体であって、
流体を収納する空洞が内部に形成されている直方体である、構造体。
【請求項２】
放射性物質含有媒体を遮蔽するための構造体であって、
流体を収納する空洞が内部に形成されている、平面視でリング状、多角形状、または異形状である、構造体。
【請求項３】
放射性物質含有媒体を遮蔽するための構造体であって、
前記構造体が直方体であり、
少なくとも一方の空洞に流体が収納される、２つの空洞が形成された二重遮蔽構造を、前記直方体の内部に設けてある、構造体。
【請求項４】
放射性物質含有媒体を遮蔽するための構造体であって、
外壁、内壁、底壁の間に、流体が収納される空洞が形成された中空の筒形状である、構造体。
【請求項５】
前記構造体に、前記流体を導入するための配管が接続されている請求項１に記載の構造体。
【請求項６】
前記構造体に、前記流体を導入するための開口部が形成されている請求項１に記載の構造体。
【請求項７】
前記構造体に、前記流体を導入するための導入部が設けられている請求項１に記載の構造体。
【請求項８】
前記導入部が前記流体を排出するための排出部としても機能する請求項７に記載の構造体。
【請求項９】
前記構造体に、前記流体を排出するための排出部が設けられている請求項１〜３のいずれか１項に記載の構造体。
【請求項１０】
前記流体が水である請求項１〜９のいずれか１項である構造体。
【請求項１１】
前記流体が水より比重が重い液体である請求項１〜９のいずれか１項である構造体。
【請求項１２】
前記流体がシリコンオイルである請求項１〜９に記載の構造体。
【請求項１３】
前記構造体の材料が、ポリ塩化ビニルである請求項１〜１２のいずれか１項に記載の構造体。
【請求項１４】
前記構造体の材料が、繊維強化プラスチックである請求項１〜１２のいずれか１項に記載の構造体。
【請求項１５】
前記構造体の材料が、薄鋼板である請求項１〜１２のいずれか１項に記載の構造体。
【請求項１６】
前記２つの空洞のうち、外側の空洞に前記流体が配置される、請求項３に記載の構造体。